(57)【特許請求の範囲】
【請求項１】
内部導体である芯線と、当該芯線の外周面を包囲しながら当該芯線の長手方向に延長する内部被覆と、当該内部被覆の外周面を包囲しながら前記長手方向に延長するシールド部材と、当該シールド部材の外周面を包囲しながら前記長手方向に延長する外部被覆と、を備え且つ前記長手方向の一端部において、前記芯線、前記内部被覆、及び前記シールド部材それぞれの一端部が露出されたシールド電線と、
当該シールド電線の前記一端部に取り付けられた導電性金属製の端子本体と、
前記シールド電線の前記一端部で前記芯線に電気的に接続され、且つ相手方端子に前記芯線を電気的に接続するための芯線導通部と、
前記芯線導通部が、前記芯線に接続した状態で当該芯線と伴に貫通し、且つ係止される貫通孔が形成された絶縁部材と、
前記端子本体の長手方向の一端部に一体形成され、前記絶縁部材に外嵌し、且つ前記芯線導通部の周囲を包囲しながら前記芯線導通部を、前記絶縁部材を介して支持する筒状部と、
当該筒状部よりも前記端子本体の長手方向の他端部側に位置するように前記端子本体に一体形成されると共に、前記シールド部材を加締めて電気的に接続されたシールド部材加締め部と、
を備えた、シールド電線付きコネクタ端子であって、
前記筒状部と前記シールド部材加締め部との間に配置されるように前記端子本体と一体形成され、且つ前記筒状部の内径形状と前記シールド部材の外径形状との中間の内径形状を形成した状態で前記芯線の周囲を包囲する環状部を更に備える
ことを特徴とするシールド電線付きコネクタ端子。
【請求項２】
前記環状部が、互いに内側に曲げられ接触した一対のシールド補強片により構成されている
ことを特徴とする請求項１に記載のシールド電線付きコネクタ端子。
【請求項３】
前記絶縁部材には、前記シールド電線の周方向にわたって段部が形成され、これにより大径絶縁部及び小径絶縁部が備えられており、
前記大径絶縁部は、前記筒状部に内嵌し、一方
前記小径絶縁部は、前記一対のシールド補強片により加締め付けられている
ことを特徴とする請求項２に記載のシールド電線付きコネクタ端子。
【発明の詳細な説明】
【技術分野】
【０００１】
本発明は、相手方端子の接続に使用されるシールド電線付きコネクタ端子に関し、特に、コネクタ接続時のシールド電線に対する特定インピーダンスの不整合の発生を抑制して、その接続されるシールド電線の高周波特性を向上させることのできるシールド電線付きコネクタ端子に関する。
【背景技術】
【０００２】
図４は、シールド電線の一種である同軸ケーブル１を相手方端子（不図示）に接続するために、この同軸ケーブル１の一端部に接続されたコネクタ端子３の従来例を示したものである。
なお、ここに示したコネクタ端子３は、特許文献１に開示された構成のものである。
【０００３】
同軸ケーブル１は、内部導体である中心導体（芯線）１１と、この中心導体１１の外周面を包囲しながらこの中心導体１１の長手方向に延長する絶縁物（内部被覆）１３と、シールド部材としてこの絶縁物１３の外周面を包囲しながらその長手方向に延長する外部導体１５と、この外部導体１５の外周面を包囲しながらその長手方向に延長する絶縁外皮（外部被覆）１７と、を備えて構成されている。そして、その長手方向の一端部において、中心導体１１、絶縁物１３、外部導体１５、及び絶縁外皮１７それぞれの一端部が露出されている。
【０００４】
即ち、コネクタ端子３に取り付けられる同軸ケーブル１の一端部は、コネクタ端子３に取り付けられる前に、予め、絶縁外皮１７の先端から所定の長さＬ１だけ外部導体１５が露出されるように部分的に切除され、この外部導体１５の先端から絶縁物１３が所定の長さＬ２だけ露出されるように部分的に切除され、この絶縁物１３の先端から中心導体１１が所定の長さＬ３だけ露出されるように部分的に切除されて、同軸ケーブル１の長手方向の一端部において、中心導体１１、絶縁物１３、及び外部導体１５それぞれが露出されることになる。
【０００５】
そして、コネクタ端子３は、同軸ケーブル１の端部に接続される所謂プラグ型端子であり、同軸ケーブル１の一端部に取り付けられた導電性金属性の端子本体２５と、同軸ケーブル１の一端部で中心導体１１に電気的に接続され、この中心導体１１を相手方端子に接続するための中心導体導通部（芯線導通部：一般的に「中心コンタクト」と呼ばれる）２１と、この中心導体導通部２１が中心導体１１に接続した状態で中心導体１１と伴に貫通し、且つ係止される貫通孔２３ａが形成された絶縁部材（例えば、ポリエチレン等による発泡誘電体）２３と、端子本体２５の長手方向の一端部｛図４（ａ）では左端側｝に一体形成され、絶縁部材２３に外嵌し、且つ中心導体導通部２１の周囲を包囲しながら中心導体導通部２１を、絶縁部材２３を介して支持する筒状部２５ａと、この筒状部２５ａよりも端子本体２５の長手方向の他端部側に位置するように端子本体２５に一体形成され、外部導体１５を加締めて電気的に接続された外部導体加締め部（シールド部材加締め部）２５ｂと、を備えて構成されている。
なお、中心導体導通部２１には、その中心部に孔部２１ａが形成されており、この孔部２１ａに挿入された中心導体１１が半田付け等により電気的に接続されている。
【０００６】
ここで、端子本体２５は金属板のプレス成形品である。外部導体加締め部２５ｂは、外部導体１５の外周面に加締め付ける一対の加締め片として形成されている。また、端子本体２５には、外部導体加締め部２５ｂの端部側｛図４（ａ）では右端側｝に、絶縁外皮１７の外周面に加締め付けることで、同軸ケーブル１を物理的に固定する外皮加締め部２５ｃが一体形成されている。この外皮加締め部２５ｃも、外部導体加締め部２５ｂと同じく、一対の加締め片として形成されている。
【０００７】
以上に説明したプラグ型のコネクタ端子３は、前述の中心導体導通部２１や筒状部２５ａが雌雄嵌合する相手方端子としてのジャック又はレセプタクルに組み合わせられることで、同軸ケーブル１のコネクタ接続を実現する。
【０００８】
【特許文献１】特開２００４−３０３６９２号公報
【発明の開示】
【発明が解決しようとする課題】
【０００９】
ところで、この種の従来のコネクタ端子３の場合、図４（ａ）にも示しているように、筒状部２５ａの内径形状は、相手方端子との嵌合構造上の制約等から、外部導体１５の断面外形形状よりもかなり大きく設定されている。
【００１０】
このため、絶縁部材２３との組み合わせによる中心導体導通部２１と筒状部２５ａとの間の特性インピーダンスは、図５に示すように、同軸ケーブル１における中心導体１１と外部導体１５との間の特性インピーダンスである５０オームに揃えていても、図４（ａ）において外部導体１５から絶縁物１３が露出した部分では、図５において離間距離Ｌ４で示すように、中心導体１１とその周囲を囲う導電層（シールド層）との間の離間距離が急激な変化となるため、特性インピーダンスの不整合を示してしまう。そして、この特性インピーダンスの不整合が、同軸ケーブル１の高周波特性に悪影響を及ぼすおそれがあった。
【００１１】
本発明は、前述した課題に鑑みてなされたものであり、その目的は、コネクタ接続時のシールド電線に対する特性インピーダンスの不整合の発生を抑制して、この特性インピーダンスの不整合に起因した高周波特性の低下を招くことがなく、シールド電線を良好に相手方端子に接続することができるシールド電線付きコネクタ端子を提供することにある。
【課題を解決するための手段】
【００１２】
本発明の前述した目的は、下記の構成により達成される。
（１）  内部導体である芯線と、当該芯線の外周面を包囲しながら当該芯線の長手方向に延長する内部被覆と、当該内部被覆の外周面を包囲しながら前記長手方向に延長するシールド部材と、当該シールド部材の外周面を包囲しながら前記長手方向に延長する外部被覆と、を備え且つ前記長手方向の一端部において、前記芯線、前記内部被覆、及び前記シールド部材それぞれの一端部が露出されたシールド電線と、
当該シールド電線の前記一端部に取り付けられた導電性金属製の端子本体と、
前記シールド電線の前記一端部で前記芯線に電気的に接続され、且つ相手方端子に前記芯線を電気的に接続するための芯線導通部と、
前記芯線導通部が、前記芯線に接続した状態で当該芯線と伴に貫通し、且つ係止される貫通孔が形成された絶縁部材と、
前記端子本体の長手方向の一端部に一体形成され、前記絶縁部材に外嵌し、且つ前記芯線導通部の周囲を包囲しながら前記芯線導通部を、前記絶縁部材を介して支持する筒状部と、
当該筒状部よりも前記端子本体の長手方向の他端部側に位置するように前記端子本体に一体形成されると共に、前記シールド部材を加締めて電気的に接続されたシールド部材加締め部と、
を備えた、シールド電線付きコネクタ端子であって、
前記筒状部と前記シールド部材加締め部との間に配置されるように前記端子本体と一体形成され、且つ前記筒状部の内径形状と前記シールド部材の外径形状との中間の内径形状を形成した状態で前記芯線の周囲を包囲する環状部を更に備える
ことを特徴とするシールド電線付きコネクタ端子。
（２）  前記環状部が、互いに内側に曲げられ接触した一対のシールド補強片により構成されている
ことを特徴とする上記（１）のシールド電線付きコネクタ端子。
（３）  前記絶縁部材には、前記シールド電線の周方向にわたって段部が形成され、これにより大径絶縁部及び小径絶縁部が備えられており、
前記大径絶縁部は、前記筒状部に内嵌し、一方
前記小径絶縁部は、前記一対のシールド補強片により加締め付けられている
ことを特徴とする上記（２）のシールド電線付きコネクタ端子。
【００１３】
上記（１）の構成によれば、コネクタ端子にシールド電線を接続した場合に、シールド電線のシールド部材から露出した内部被覆の周囲は、端子本体の筒状部とシールド部材加締め部との間に設けられた環状部により囲われるようになっている。そして、この環状部は、筒状部の内径形状とシールド部材の外径形状との中間の内径形状を形成した状態で芯線の周囲を包囲している。即ち、端子本体に挿通配置されるシールド電線の芯線とこの環状部との間の離間距離が、シールド電線における芯線とシールド部材との間の離間距離と、端子本体の内部導通部と導通筒体部との間の離間距離と、の中間の値になるように環状部の内径が選定されている。このため、本発明に係るシールド電線付きコネクタ端子を使用した場合に、シールド電線のシールド部材から内部被覆が露出した部分においては、芯線とその周囲を包囲する導電層（シールド層）との間の離間距離が、その長手方向前後の領域と比較して急激な変化になることを抑制して、コネクタ接続時のシールド電線に対する特性インピーダンスの不整合の発生を抑制することができる。したがって、この特性インピーダンスの不整合に起因した高周波特性の低下を招くことがなく、シールド電線を良好に相手方端子に接続することができる。
上記（２）の構成によれば、一対のシールド補強片それぞれの湾曲度合いを加締め治具等により調整することで、シールド電線の電線径に応じて環状部の内径を適宜調整して、特性インピーダンスの不整合の発生を抑制することができるので、取り付けられるシールド電線の電線径が変更された場合においても、この変更に対し容易に対応することが可能になる。
上記（３）の構成によれば、絶縁部材が大径絶縁部及び小径絶縁部を備え、そして、この小径絶縁部は環状部により加締められる。このため、環状部により、特定インピーダンスの不整合の発生を抑制するだけではなく、同時に絶縁部材の固定をも行うことができる。また、シールド電線がコネクタ端子に挿通され、環状部を構成する一対のシールド補強片が例えば加締め治具により加締められる際、この小径絶縁部の外周面に沿って内側に湾曲され得るので、その小径絶縁部の断面形状を適宜選択することにより、容易に環状部の内径を精度よく確実に選定・形成することができる。
【発明の効果】
【００１４】
本発明によれば、コネクタ接続時のシールド電線に対する特性インピーダンスの不整合の発生を抑制して、この特性インピーダンスの不整合に起因した高周波特性の低下を招くことがなく、シールド電線を良好に相手方端子に接続することができるシールド電線付きコネクタ端子を提供することができる。
【００１５】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１６】
以下、本発明に係るシールド電線付きコネクタ端子（以下、単にコネクタ端子ともいう）の好適な実施形態について、図面を参照しながら説明する。
なお、本実施形態のシールド電線としては、芯線である中心導体が、内部被覆である絶縁物により被覆され、さらにこの絶縁物が、編組である外部導体（即ち、シールド部材）により覆われ、さらに外部導体が、外部からの衝撃などから内部を保護する絶縁外皮（即ち、外部被覆）により被覆された構造を有した同軸ケーブルを採用している。
ここで、図１は本発明に係るコネクタ端子の一実施形態の説明図であり、（ａ）は同軸ケーブルに取り付ける前の斜視図であり、（ｂ）は同軸ケーブルの一端部に接続された状態の斜視図であり、（ｃ）は同軸ケーブルの一端部に接続された状態の側面図であり、図２は同軸ケーブルの一端部に取り付けられた状態のコネクタ端子の縦断面図であり、図３は図２に示したコネクタ端子を使用した時の同軸ケーブルの一端部の特性インピーダンスを説明するための模式図である。
【００１７】
本実施形態に係るコネクタ端子３１は、シールド電線の一種である同軸ケーブル１を相手方端子に接続するために、この同軸ケーブル１の先端に接続されるプラグ型端子（雄型コネクタ）である。
【００１８】
同軸ケーブル１は、図４（ａ）に示したものと略同一構造で、内部導体である中心導体（芯線）１１と、この中心導体１１の外周面を包囲しながらこの中心導体１１の長手方向に延長する絶縁物（内部被覆）１３と、シールド部材としてこの絶縁物１３の外周面を包囲しながらその長手方向に延長する編組の外部導体１５と、この外部導体１５の外周面を包囲しながらその長手方向に延長する絶縁外皮（外部被覆）１７と、を備えて構成されている。そして、その長手方向の一端部において、中心導体１１、絶縁物１３、外部導体１５、及び絶縁外皮１７それぞれの一端部が露出されている。
【００１９】
即ち、コネクタ端子３１に取り付けられる同軸ケーブル１の一端部は、コネクタ端子３１に取り付けられる前に、予め、絶縁外皮１７の先端から所定の長さＬ１だけ外部導体１５が露出されるように部分的に切除され、この外部導体１５の先端から絶縁物１３が所定の長さＬ２だけ露出されるように部分的に切除され、この絶縁物１３の先端から中心導体１１が所定の長さＬ３だけ露出されるように部分的に切除されて、同軸ケーブル１の長手方向の一端部において、中心導体１１、絶縁物１３、及び外部導体１５それぞれが露出されることになる。
【００２０】
このコネクタ端子３１は、図１及び図２に示すように、同軸ケーブル１の一端部に取り付けられた導電性金属製の端子本体４５と、同軸ケーブル１の一端部で中心導線１１に電気的に接続され、この中心導体１１を相手方端子に接続するための中心導体導通部（芯線導通部：一般的に「中心コンタクト」と呼ばれる）４１と、この中心導体導通部４１が中心導体１１に接続した状態で中心導体１１と伴に貫通し、且つ係止される貫通孔４３ｄが形成された絶縁部材（例えば、ポリエチレン等による発泡誘電体）４３と、端子本体４５の長手方向の一端部｛図１（ａ）では左端側｝に一体形成され、絶縁部材４３に外嵌し、且つ絶縁材４３を介して中心導体導通部４１の周囲を包囲しながら中心導体導通部４１を、絶縁部材２３を介して端子本体４５の中心軸上に支持する筒状部２５ａと、この筒状部２５ａよりも端子本体４５の長手方向の他端部側に位置するように端子本体４５に一体形成され、外部導体１５を加締めて電気的に接続された外部導体加締め部（シールド部材加締め部）２５ｂと、を備えている。
なお、中心導体導通部４１には、その中心部に孔部４１ａが形成されており、この孔部４１ａに挿入された中心導体１１が半田付け等により電気的に接続されている。
【００２１】
端子本体４５は、金属板のプレス成形品である。外部導体加締め部４５ｂは、外部導体１５の外周面に加締め付ける一対の加締め片として形成されている。また、端子本体４５は、図２にも示すように、外部導体加締め部４５ｂの端部側｛図２では右端側｝に、絶縁外皮１７の外周面に加締め付けることで、同軸ケーブル１を物理的に固定する外皮加締め部４５ｃが一体形成されている。この外皮加締め部４５ｃも、一対の加締め片として形成されている。
【００２２】
更に、端子本体４５には、図２に示すように、筒状部４５ａと外部導体加締め部４５ｂとの間に配置されるように端子本体４５と一体形成され、且つ筒状部４５ａの内径形状と外部導体１５の外径形状との中間の内径形状を形成した状態で中心導体１１の周囲を包囲する環状部４５ｄが設けられている。
【００２３】
この環状部４５ｄは、図１（ａ）に示すように、互いに内側に曲げられ接触した一対のシールド補強片４６ａ，４６ｂにより構成されている。また、この一対のシールド補強片４６ａ，４６ｂは、中心導体導通部４１と筒状部４５ａとの間に位置されている絶縁部材４３の外周に加締め付ける加締め片としても機能している。
【００２４】
また、この絶縁部材４３には、同軸ケーブル１の周方向にわたって段部４３ｃが形成されており、これにより大径絶縁部４３ａ及び小径絶縁部４３ｂが備えられており、そして、この大径絶縁部４３ａは筒状部４５ａに内嵌し、一方小径絶縁部４５ｂは、この一対のシールド補強片４６ａ，４６ｂにより加締め付けられている。
【００２５】
このように、環状部４５ｄを構成する一対のシールド補強片４６ａ，４６ｂが、図２に示すように、絶縁部材４３の小径絶縁部４３ｂに加締め付けた時に環状部４５ｄの内径形状が筒状部４５ａの内径形状と外部導体１５の外径形状の中間となるように、加締め付け度（湾曲度合い）が調整・設定されることで、この加締め付けられる部位における特性インピーダンスの不整合の発生を防止している。
【００２６】
以上に説明したプラグ型のコネクタ端子３１は、前述の中心導体導通部４１や筒状部４５ａが雌雄嵌合する相手方端子としてのジャック又はレセプタクルに組み合わされることで、同軸ケーブル１のコネクタ接続を実現している。
【００２７】
以上に説明した本発明に係るコネクタ端子３１によれば、このコネクタ端子３１に同軸ケーブル１を接続した場合に、この同軸ケーブル１の外部導体１５から露出した絶縁物１３の周囲は、筒状部４５ａと外部導体加締め部４５ｂとの間に設けられた環状部４５ｄによって囲われるようになっている。
【００２８】
また、図３に示すように、環状部４５ｄは、筒状部４５ａの内径形状と外部導体１５の外径形状との中間の内径形状を形成した状態で中心導体１１の周囲を包囲している。即ち、端子本体４５に挿通配置される同軸ケーブル１の中心導体１１とこの環状部４５ｄとの間の離間距離Ｌ５が、同軸ケーブル１における中心導体１１と外部導体１５との間の離間距離Ｌ６と、端子本体４５の中心導体導通部４１と筒状部４５ａとの間の離間距離Ｌ７との中間の値となるように環状部４５ｄの内径が選定されている。
【００２９】
このため、本実施形態のコネクタ端子３１を使用した場合、同軸ケーブル１の外部導体１５から絶縁物１３が露出した部分においては、中心導体１１とその周囲を囲う導電層（シールド層）との間の離間距離Ｌ５が、その長手方向前後の領域と比較して急激な変化となることを抑制して、コネクタ接続時の同軸ケーブル１に対する特性インピーダンスの不整合の発生を抑制することができる。このため、この特性インピーダンスの不整合に起因した高周波特性の低下を招くことなく、同軸ケーブル１を良好に相手方端子に接続することができる。
【００３０】
さらに、本実施形態のコネクタ端子３１によれば、一対のシールド補強片４６ａ，４６ｂそれぞれの湾曲度合いを加締め治具等により調整することで、同軸ケーブル１の電線径に応じて環状部４５ｄの内径を適宜調整して、特性インピーダンスの不整合の発生を抑制することができるので、取り付けられる同軸ケーブル１の電線径が変更された場合においても、この変更に対し容易に対応することが可能になる。
【００３１】
また、本実施形態のコネクタ端子３１によれば、絶縁部材４３が大径絶縁部４３ａ及び小径絶縁部４３ｂを備え、そして、この小径絶縁部４３ｂは環状部４５ｄにより加締められる。このため、環状部４５ｄにより、特定インピーダンスの不整合の発生を抑制するだけではなく、同時に絶縁部材４３の固定をも行うことができる。また、同軸ケーブル１がコネクタ端子３１に挿通され、環状部４５ｄを構成する一対のシールド補強片４６ａ，４６ｂが例えば加締め治具により加締められる際、この小径絶縁部４３ｂの外周面に沿って内側に湾曲され得るので、その小径絶縁部４３ｂの断面形状を適宜選択することにより、容易に環状部４５ｄの内径を精度よく確実に選定・形成することができる。
【００３２】
なお、本発明に係るコネクタ端子によりコネクタ接続される電線は、前述した実施形態に示した同軸ケーブルに限るものではなく、例えば、中心導体の他にシールド用の外部導体を備える各種のシールド電線にも応用可能である。例えば、前述した実施形態では、その絶縁物と絶縁外皮とに介在するシールド部材として編組を備えたものを説明したが、これに限らず、シールド部材は、編組の外周にアルミニウム箔、銅箔、等といった金属箔を更に巻きつけたもの、或いは絶縁物の外周に巻きつけられたアルミニウム箔、銅箔、等といった金属箔を更に有するものであってもよい。また、シールド電線は、編組の代わりにスパイラル状のシールド線を備えたものであってもよい。
【００３３】
また、本発明に係るコネクタ端子は、前述の実施形態に示したプラグ型に限るものではなく、ジャック又はレセプタクル型のものにも適用することができる。
【００３４】
また、前述した実施形態では、特定インピーダンスを抑制するための環状部を単純な円環状の部材として図示したが、これに限らず、種々の形状を採用することができ、この場合においても本発明の目的を達成することができる。
【図面の簡単な説明】
【００３５】
【図１】本発明に係るコネクタ端子の一実施形態の説明図であり、（ａ）は同軸ケーブルに取り付ける前の斜視図、（ｂ）は同軸ケーブルの一端部に接続された状態の斜視図であり、（ｃ）は同軸ケーブルの一端部に接続された状態の側面図である。
【図２】同軸ケーブルの一端部に取り付けられた状態のコネクタ端子の縦断面図である。
【図３】図２に示したコネクタ端子を使用した時の同軸ケーブルの一端部の特性インピーダンスを説明するための模式図である。
【図４】（ａ）は同軸ケーブルの端部に接続された従来のコネクタ端子の縦断面図であり、（ｂ）は（ａ）のＡ−Ａ断面図である。
【図５】図４に示したコネクタ端子を使用した時の同軸ケーブルの端部の特性インピーダンスを説明するための模式図である。
【符号の説明】
【００３６】
１      同軸ケーブル（シールド電線）
１１    中心導体（芯線）
１３    絶縁物（内部被覆）
１５    外部導体（シールド部材）
１７    絶縁外皮（外部被覆）
３１    コネクタ端子
４１    中心導体導通部（芯線導通部）
４３    絶縁部材
４３ａ  大径絶縁部
４３ｂ  小径絶縁部
４３ｃ  段部
４３ｄ  貫通孔
４５    端子本体
４５ａ  筒状部
４５ｂ  外部導体加締め部（シールド部材加締め部）
４５ｃ  外皮加締め部
４５ｄ  環状部
４６ａ，４６ｂ  シールド補強片
【図１】
0005121053.tif 000002
【図２】
0005121053.tif 000003
【図３】
0005121053.tif 000004
【図４】
0005121053.tif 000005
【図５】
0005121053.tif 000006